(57)【要約】無線信号の受信及び処理のための技術が開示される。例えば、装置は、複数の受信経路、コンテンツ生成モジュール、及び分配モジュールを有してよい。複数の受信経路は、第１のチューニング設定に従って入力ＲＦ信号から第１の復号信号を生成する第１の受信経路を含む。コンテンツストリーム生成モジュールは第１の入力部及び第２の入力部を有する。第１及び第２の入力部で受信される復号信号に基づき、コンテンツストリーム生成モジュールは、第１及び第２のコンテンツストリームを夫々生成してよい。第１及び第２のコンテンツストリームの両方が第１のチューニング設定に対応する状況において、分配モジュールは、コンテンツストリーム生成モジュールの第１及び第２の入力部の両方へ第１の復号信号を供給する。また、制御モジュールは、現在使用されていない複数の受信経路のうちのいずれかから動作電力を外してよい。
2013511929.tif 000002
【特許請求の範囲】
【請求項１】
第１のチューニング設定に従って入力ＲＦ信号から第１の復号信号を生成する第１の受信経路を含む複数の受信経路と、
第１の入力部及び第２の入力部を有し、前記第１の入力部及び前記第２の入力部で夫々受信される復号信号に基づき第１のコンテンツストリーム及び第２のコンテンツストリームを生成するコンテンツストリーム生成モジュールと、
前記第１のコンテンツストリーム及び前記第２のコンテンツストリームが前記第１のチューニング設定に対応する場合に、前記コンテンツストリーム生成モジュールの前記第１の入力部及び前記第２の入力部の両方へ前記第１の復号信号を供給する分配モジュールと
を有する装置。
【請求項２】
前記複数の受信経路は、第２のチューニング設定に従って前記入力ＲＦ信号から第２の復号信号を生成する第２の受信経路を含み、
前記第１のコンテンツストリームが前記第１のチューニング設定に対応し且つ前記第２のコンテンツストリームが前記第２のチューニング設定に対応する場合に、前記分配モジュールは、前記コンテンツストリーム生成モジュールの前記第１の入力部及び前記第２の入力へ前記第１の復号信号及び前記第２の復号信号を夫々供給する、
請求項１に記載の装置。
【請求項３】
制御モジュールをさらに有し、
前記制御モジュールは、現在使用されていない前記複数の受信経路のうちのいずれかから動作電力を外す、
請求項２に記載の装置。
【請求項４】
前記複数の受信経路の夫々は、
前記入力ＲＦ信号からアナログベースバンド信号を生成するチューナモジュールと、
前記アナログベースバンド信号からシンボルストリームを生成する復調モジュールと
を有する、
請求項２に記載の装置。
【請求項５】
前記複数の受信経路の夫々は、前記シンボルストリームから復号信号を生成するＦＥＣデコーダをさらに有する、
請求項４に記載の装置。
【請求項６】
前記第１の復号信号は、複数のコンテンツストリームを搬送する、
請求項１に記載の装置。
【請求項７】
前記第１の復号信号は、ＭＰＥＧトランスポートストリームを有する、
請求項１に記載の装置。
【請求項８】
出力ストリーム指定のためのチューニングを決定するステップと、
予め前記チューニングを用いているネットワークメディアプラットフォームにおける複数の受信経路のうちの１つの受信経路を特定するステップと、
前記１つの受信経路によって生成される復号信号を前記ネットワークメディアプラットフォーム内で分配するステップと
を有する方法。
【請求項９】
前記復号信号を分配するステップは、コンテンツストリーム生成モジュールの２又はそれ以上の入力ポートへ前記復号信号を送信するステップを有する、
請求項８に記載の方法。
【請求項１０】
前記コンテンツストリーム生成モジュールによって第１のコンテンツストリーム及び第２のコンテンツストリームを出力するステップをさらに有し、
前記第１のコンテンツストリーム及び前記第２のコンテンツストリームの夫々は、前記復号信号に対応する、
請求項９に記載の方法。
【請求項１１】
前記復号信号は、複数のコンテンツストリームを搬送する、
請求項８に記載の方法。
【請求項１２】
前記復号信号は、ＭＰＥＧトランスポートストリームである、
請求項８に記載の方法。
【請求項１３】
前記出力ストリーム指定は、ユーザ選択に基づく、
請求項８に記載の方法。
【請求項１４】
ユーザインターフェースで前記ユーザ選択を受け取るステップ
をさらに有する、請求項１３に記載の方法。
【請求項１５】
入力ＲＦ信号を受信するステップと、
前記入力ＲＦ信号から前記復号信号を生成するステップと
をさらに有する、請求項８に記載の方法。
【請求項１６】
前記入力ＲＦ信号から前記復号信号を生成するステップは、
前記入力ＲＦ信号からアナログベースバンド信号を生成するステップと、
前記アナログベースバンド信号をシンボルストリームへと復調するステップと
を有する、請求項１５に記載の方法。
【請求項１７】
前記入力ＲＦ信号から前記復号信号を生成するステップは、ＦＥＣ復号法に従って前記シンボルストリームを復号するステップを有する、
請求項１６に記載の方法。
【請求項１８】
機械によって実行される場合に、該機械に、
出力ストリーム指定のためのチューニングを決定させ、
予め前記チューニングを用いているネットワークメディアプラットフォームにおける複数の受信経路のうちの１つの受信経路を特定させ、
前記１つの受信経路によって生成される復号信号を前記ネットワークメディアプラットフォーム内で分配させる
命令を記憶する機械アクセス可能な媒体を有する物。
【請求項１９】
前記機械に前記復号信号を分配させる前記命令は、前記機械にコンテンツストリーム生成モジュールの２又はそれ以上の入力ポートへ前記復号信号を送信させる命令を有する、
請求項１８に記載の物。
【請求項２０】
前記機械に、前記コンテンツストリーム生成モジュールによって第１のコンテンツストリーム及び第２のコンテンツストリームを出力させる命令をさらに有し、
前記第１のコンテンツストリーム及び前記第２のコンテンツストリームの夫々は、前記復号信号に対応する、
請求項１９に記載の物。
【発明の詳細な説明】
【背景技術】
【０００１】
特定の場所（例えば、家）の範囲内で、複数のコンテンツストリーム（例えば、ビデオストリーム）を受信するために、複数の装置がしばしば同時に使用される。そのような装置の例には、テレビ受像機及びデジタルビデオレコーダ（ＤＶＲ）がある。例えば、ＤＶＲがあるテレビ番組を録画している間、テレビ受像機は同時に他のコンテンツをユーザへ提供していることがある。
【０００２】
セットトップボックスは、無線又は有線媒体を介して受信されるブロードキャスト信号から複数のコンテンツストリームを取得してよい。例えば、セットトップボックスは、ブロードキャスト信号の特定の部分にチューニングしてよい。そのようなチューニングから、セットトップボックスは対応する復号信号を得る。夫々の復号信号は、１又はそれ以上のコンテンツストリーム（例えば、１又はそれ以上のテレビ局）を搬送してよい。よって、それらの復号信号から、セットトップボックスは、個々のコンテンツストリームを複数の装置（例えば、テレビ受像機、ＤＶＲ、等）の夫々へ供給してよい。
【０００３】
そのようなチューニング機能を備える装置に関し、装置内のコンポーネント間の干渉を低減することが望ましい。さらに、比較的エネルギ効率が良い装置を提供することがますます望ましくなっている。例えば、効率基準（例えば、エネルギスター）の順守は、電子機器の購入時にユーザにとって重要であると考えられる。
【図面の簡単な説明】
【０００４】
【図１】動作環境の図である。
【図２】例となる実施の図である。
【図３】信号分配を示す図である。
【図４】論理フロー図である。
【図５】例となる受信経路実施の図である。
【発明を実施するための形態】
【０００５】
図面において、同じ参照符号は、概して、同じ、機能上類似する、及び／又は構造上類似する要素を示す。要素が最初に現れる図は、参照符号の左端の数字によって示される。本発明は、添付の図面を参照して記載される。
【０００６】
実施形態は、無線信号の受信及び処理のための技術を提供する。例えば、装置は、複数の受信経路、コンテンツ生成モジュール、及び分配モジュールを有してよい。複数の受信経路は、第１のチューニング設定に従って入力ＲＦ信号から第１の復号信号を生成する第１の受信経路を含む。コンテンツストリーム生成モジュールは第１の入力部及び第２の入力部を有する。第１及び第２の入力部で受信される復号信号に基づき、コンテンツストリーム生成モジュールは、第１及び第２のコンテンツストリームを夫々生成してよい。
【０００７】
第１及び第２のコンテンツストリームの両方が第１のチューニング設定に対応する状況において、分配モジュールは、コンテンツストリーム生成モジュールの第１及び第２の入力部の両方へ第１の復号信号を供給する。
【０００８】
複数の受信経路は、第２のチューニング設定に従って入力ＲＦ信号から第２の復号信号を生成する第２の受信経路をさらに含んでよい。第１のコンテンツストリームが第１のチューニング設定に対応し且つ第２のコンテンツストリームが第２のチューニング設定に対応する状況において、分配モジュールは、コンテンツストリーム生成モジュールの第１及び第２の入力部へ第１及び第２の復号信号を夫々供給する。
【０００９】
更なる実施形態は、現在使用されていない複数の受信経路のうちのいずれかから動作電力を外す制御モジュールをさらに有してよい。
【００１０】
このようにして、実施形態は、ネットワーク媒体プラットフォームのような装置における電力消費を有利に低減する技術を提供する。さらに、実施形態は、２又はそれ以上の受信経路が同じチャネルにチューニングされることを回避する。結果として、受信経路間の干渉は、有利に低減され得る。
【００１１】
本明細書全体を通して、「実施形態」又は「一実施形態」との言及は、その実施形態に関連して記載される特定の特徴、構造又は機能が少なくとも１つの実施形態に含まれることを意味する。よって、本明細書全体の様々な箇所における「実施形態において」又は「一実施形態において」の出現は、必ずしも全てが同じ実施形態に言及しているわけではない。さらに、特定の特徴、構造又は機能は、１又はそれ以上の実施形態において、いずれかの適切な方法において組み合わされてよい。
【００１２】
図１は、ここで記載される技術が用いられ得る環境１００の図である。この環境は、コンテンツソース１０２、通信媒体１０４、ネットワークメディアプラットフォーム（ＮＭＰ）１０６、及び複数のコンテンツ受信装置１０８を有する。
【００１３】
コンテンツソース１０２は、ブロードキャスト信号１２０を生成して、それを通信媒体１０４にわたって送信する。通信媒体１０４は無線であってよい。例えば、通信媒体１０４は、地上ブロードキャスト媒体又は衛星ブロードキャスト媒体を有してよい。代替的に、通信媒体１０４は、同軸ケーブルのような有線であってよい。なお、実施形態はこれらの例に限られない。
【００１４】
実施形態において、ブロードキャスト信号１２０はデジタルビデオ信号である。例となるデジタルビデオ信号には、デジタル・ビデオ・ブロードキャスティング（ＤＶＢ）信号（例えば、ＤＶＢ地上（ＤＶＢ−Ｔ）信号）及びデジタル・マルチメディア・ブロードキャスト地上／ポータブル（ＤＭＢ−Ｔ／Ｈ）がある。デジタルビデオ信号の更なる例には、データ・オーバー・ケーブル・サービス・インターフェース規格（ＤＯＣＳＩＳ）信号がある。なお、実施形態はそのような信号に限られない。さらに、実施形態は、ビデオ信号を含む状況に限られない。
【００１５】
よって、コンテンツソース１０２は、ＤＶＢソースノード、衛星地上局、衛星、ケーブルヘッドエンド、及び／又は他のエンティティを有してよい。実施形態において、コンテンツソース１０２は、ライブの及び／又は録画されたコンテンツからブロードキャスト信号１２０を生成する１又はそれ以上のコンポーネント（例えば、エンコーダ、変調器、増幅器、アンテナ、等）により実施されてよい。
【００１６】
実施形態において、ブロードキャスト信号１２０は、複数のチャネル（例えば、複数の周波数チャネル）を有する。それらのチャネルの夫々は（例えば、複素スペクトルとして）変調される。この変調は、様々な方式に従ってよい。例となる方式には、直交周波数分割多重化（ＯＦＤＭ）、位相偏移キーイング（ＰＳＫ）及び周波数偏移キーイング（ＦＳＫ）がある（がこれらに限られない）。
【００１７】
ブロードキャスト信号１２０内のチャネルは、複数のデータストリームを搬送してよい。例えば、各チャネルは、複数の例となるコンテンツストリームを有するトランスポートストリーム（例えば、ＭＰＥＧトランスポートストリーム）を提供してよい。例えば、ＤＯＣＳＩＳシステムの場合に、ブロードキャスト信号１２０内のチャネルは、１０個以下の独立したテレビ局を搬送してよい。
【００１８】
図１において示されるように、ＮＭＰ１０６は、ブロードキャスト信号１２０から複数のコンテンツストリームを生成してよい。例えば、図１は、ビデオストリーム１２２ａをテレビ受像機１０８ａへ、ビデオストリーム１２２ｂをデジタルビデオレコーダ（ＤＶＲ）１０８ｂへ、及びビデオストリーム１２２ｎをテレビ受像機１０８ｎへ供給するＮＭＰ１０６を示す。次いで、それらの装置は、各自の対応するコンテンツストリームに対して特定の動作を実行する。例えば、テレビ受像機１０８ａはビデオストリーム１２２ａをユーザへ出力し、ＤＶＲ１０８ｂはその後の視聴のためにビデオストリーム１２２ｂを記録し、テレビ受像機１０８ｎはビデオストリーム１２２ｎをユーザへ出力する。
【００１９】
コンテンツストリーム１２２ａ〜ｎの生成は、ＮＭＰ１０６が最初にブロードキャスト信号１２０から１又はそれ以上の復号信号（図示せず。）を生成し、次いで復号信号からコンテンツストリーム１２２ａ〜ｎを生成することを必要とする。復号信号を生成するよう、ＮＭＰ１０６は複数の受信経路１１０ａ〜ｎを有する。それらの経路の夫々は、個々にブロードキャスト信号１２０内のチャネルにチューニングされてよい。
【００２０】
動作中に、ＮＭＰ１０６がブロードキャスト信号１２０内の同じチャネルに関連する複数のコンテンツストリーム（例えば、ストリーム１２２ａ〜ｎのうちの２又はそれ以上）を出力する状況が生じることがある。そのような状況において、従来のＮＭＰ配置は、その対応する受信経路のうちの２又はそれ以上を同じチャネルにチューニングしうる。しかし、様々な欠点がこのアプローチに付随する。例えば、このアプローチは、２又はそれ以上の受信経路へ動作電力を供給することによって、余分のエネルギを消費する。さらに、同じチューニングを用いることによって、２又はそれ以上の受信経路は互いに干渉することがある。
【００２１】
実施形態は、そのような欠点を解消する。例えば、そのような状況において、ＮＭＰ１０６は、現在用いられているチャネルチューニングの（例えば、ユーザのコンテンツ選択に基づく）要求を認識する。これに応じて、ＮＭＰ１０６はマルチプレキシング動作を用いる。この動作は、個々の受信経路からの復号信号を分配して、複数のコンテンツストリームが復号信号から生成され得るようにする。さらに、この動作は、目下復号信号を生成する必要がない受信経路が給電を停止されることを可能にする。
【００２２】
図２は、ＮＭＰ１０６に含まれてよい実施２００を示す図である。なお、実施２２０は、図１の状況に限られない。さらに、この実施は、ビデオ信号に関与する以外の状況において用いられてよい。
【００２３】
実施２００は、様々な要素を含んでよい。例えば、図２は、無線周波数（ＲＦ）フロントエンド２０２、複数の受信経路２０４ａ〜ｎ、コンテンツストリーム生成モジュール２０６、分配モジュール２０８、制御モジュール２１０、及びユーザインターフェース２１２を含む実施２００を示す。それらの要素は、ハードウェア及び／又はソフトウェアの何らかの組み合わせにおいて実施されてよい。
【００２４】
ＲＦフロントエンド２０２はＲＦ信号２２０を受信する。図１の状況において、信号２００は、通信媒体１０４から受信されるＲＦ信号１２０であってよい。次いで、ＲＦフロントエンド２０２はアナログ信号２２２を生成し、アナログ信号２２２は受信経路２０４ａ〜ｎへ送信される。ＲＦ信号２２０からのアナログ信号２２２の生成は、増幅及びフィルタリングのような様々な動作を必要としてよい。然るに、ＲＦフロントエンド２０２は、アンテナ、増幅器、フィルタ等の何らかの組み合わせのような電子コンポーネント（例えば、回路）を有してよい。
【００２５】
図２は、信号２２２が受信経路２０４ａ〜ｎによって受信されることを示す。次いで、それらの経路の夫々は、対応する復号信号を生成するようチューニングを用いてよい。説明のために、図２は、受信経路２０４ａ〜ｎが夫々復号信号２２４ａ〜ｎを生成することを示す。そのような復号信号の生成は様々な動作を必要としてよい。そのような動作には、アナログ−デジタル変換、復調、及び復号化動作が含まれてよい（がこれらに限られない）。例となる受信経路実施は、図５を参照して以下で記載される。
【００２６】
受信経路２０４ａ〜ｎの夫々についての動作特性は独立して調整されてよい。例えば、それらの経路の夫々は独立してチューニングされてよい。また、動作電力は、それらの経路の夫々へ選択的に適用され（且つそれらの経路の夫々から選択的に外され）てよい。実施形態において、そのような動作特性の調整は、制御モジュール２１０によって制御される。
【００２７】
復号信号２２４ａ〜ｎの夫々は、（対応する受信経路のチューニングに基づき）ＲＦ信号２２０内のチャネルに対応する。上述されたように、複数のデータストリームが、復号信号２２４ａ〜ｎの夫々において搬送されてよい。例えば、復号信号は、コンテンツの複数のエレメンタリストリームを有するトランスポートストリーム（例えば、ＭＰＥＧトランスポートストリーム）、又は複数の独立したテレビジョン・コンテンツ・ストリームを搬送するケーブルシステムチャネル（例えば、ＤＯＣＳＩＳチャネル）を提供してよい。なお、実施形態はこれらの例に限られない。
【００２８】
コンテンツストリーム生成モジュール２０６は、復号信号からコンテンツストリームを生成する。図２において示されるように、コンテンツストリーム生成モジュール２０６は、分配モジュール２０８から復号信号を受信する複数の入力ポート２１３ａ〜ｎを有する。さらに、コンテンツストリーム生成モジュール２０６は、入力ポート２１３ａ〜ｎに夫々対応する複数の出力ポート２１５ａ〜ｎを有する。
【００２９】
然るに、コンテンツストリーム生成モジュール２０６は、入力ポート２１３ａ〜ｎで夫々受信される１又はそれ以上の対応する復号信号に基づき、出力ポート２１５ａ〜ｎで１又はそれ以上のコンテンツストリームを生成してよい。このコンテンツストリームの生成は、対応する復号信号との同期を確立すること、及び復号信号内の他の情報から所望のコンテンツを分離すること等の、様々な動作を必要としてよい。
【００３０】
上述されたように、複数のコンテンツストリームがブロードキャスト信号の同じチャネルチューニングに関連する状況が生じることがある。このようにして、コンテンツストリーム生成モジュール２０６は、ＲＦ信号２２０の同じチューニングから導出される複数のコンテンツストリームを（すなわち、出力ポート２１５ａ〜ｎで）生成することができる。
【００３１】
通常、この状況が生じるとき、複数の受信経路は、複数のコンテンツストリームの夫々について異なった復号信号を生成する。結果として、複数の受信経路は同じチューニングを用いる。上述されたように、この従来のアプローチは、残念なことに余分のエネルギを消費することがあり、さらには、受信経路間で干渉を引き起こすことがある。
【００３２】
実施形態は、分配モジュール２０８の使用によりそれらの欠点を解消する。例えば、分配モジュール２０８は、同じチューニングを有する複数の受信経路を回避するよう、受信経路２０４ａ〜ｎの１又はそれ以上からの復号信号を分配する。この機能の例が、図３を参照して以下で与えられる。
【００３３】
このようにして、分配モジュール２０８は、受信経路２０４ａ〜ｎとコンテンツストリーム生成モジュール２０６との間の中間物として動作する。より具体的に、分配モジュール２０８は、コンテンツストリーム生成モジュール２０６の入力ポートをマルチプレキシングするよう、特定の復号信号を供給してよい。
【００３４】
制御モジュール２１０は、実施２００の様々な動作を管理する。上述されたように、制御モジュール２１０は、受信経路２０４ａ〜ｎのチューニング及び電力設定を制御する。さらに、制御モジュール２１０は、分配モジュール２０８によって用いられる信号分配マッピングを確立する。
【００３５】
例えば、制御モジュール２１０は、出力ポート２１５ａ〜ｎの１つのためのコンテンツ選択を受け取ってよい。実施形態において、この選択は、ユーザインターフェース２１２からであってよい。この選択に応答して、制御モジュール２１０は、このコンテンツ選択に対応するチューニングを特定する。この特定に基づき、次いで、制御モジュール２１０は、受信経路２０４ａ〜ｎのいずれが現在このチューニングを用いているかどうかを決定する。チューニングが用いられている場合は、制御モジュール２１０は、分配モジュール２０８に、この受信経路によって生成される復号信号をコンテンツストリーム生成モジュール２０６の適切な入力ポート２１３へ送るよう指示する。
【００３６】
しかし、受信経路２０４ａ〜ｎのいずれも適切なチューニングを用いていないと制御モジュール２１０が決定する場合は、制御モジュール２１０は、このチューニング用いるよう受信経路（例えば、現在利用されている受信経路）に指示する。さらに、制御モジュール２１０は、分配モジュール２０８に、この受信経路によって生成される復号信号をコンテンツストリーム生成モジュール２０６の適切な入力ポート２１３へ送るよう指示する。
【００３７】
さらに、制御モジュール２１０は、受信経路２０４ａ〜ｎの夫々への動作電力を選択的に適用及び解除してよい。例えば。制御モジュール２１０は、現在使用されてない受信経路２０４ａ〜ｎのうちの受信経路から動作電力を外してよい。同様に、制御モジュール２１０は、（例えば、コンテンツ選択に応答して）復号信号を供給するのに必要である個々の受信経路へ電力を適用してよい。
【００３８】
上述されたように、制御モジュール２１０は、（例えば、ユーザによる）コンテンツ選択に基づき様々な動作を実行する。実施形態において、そのようなコンテンツ選択は、ユーザインターフェース２１２を通じてなされる。ユーザインターフェース２１２は、情報をユーザと交換する。例えば、ユーザインターフェース２１２は、ユーザからコンテンツ選択を受け取ってよい。ビデオコンテンツとの関連で、そのような選択は、テレビ局選択を含んでよい（がそれに限られない）。さらに、又は代替的に、ユーザインターフェース２１２は、そのようなコンテンツ選択情報を他の装置（例えば、コンテンツ出力装置）と交換してよい。他の装置とのそのような交換は、有線及び／又は無線媒体を介してよい。
【００３９】
図３は、実施２００に関連して用いられる例となる信号分配を示す図である。特に、図３は、ユーザインターフェース２１２からコンテンツ選択インジケータ３３０を受け取る制御モジュール２１０を示す。このインジケータは、出力ポート２１５ｂのためのコンテンツストリーム選択を特定する。このインジケータの受け取りに応答して、制御モジュール２１０は、コンテンツストリーム選択が受信経路２０４ａによって現在用いられているチューニングに対応すると決定する。
【００４０】
然るに、制御モジュール２１０は、信号分配指令３３２を分配モジュール２０８に発する。この指令は、分配モジュール２０８に、（受信経路２０４ａによって生成される）復号信号３２２ａを入力ポート２１３ａ及び２１３ｂの両方へ分配するよう指示する。結果として、コンテンツストリーム生成モジュール２０６は、出力ポート２１５ａで第１のコンテンツストリームを、及び出力ポート２１５ｂで第２のコンテンツストリームを出力する。コンテンツストリーム３２０ａ及び３２０ｂは両方とも、ＲＦ信号２２０の同じチューニングから派生する。
【００４１】
さらに、図３は、パワーダウン指令３３４を受信経路２０４ｂへ送信する制御モジュール２１０を示す。この指令に応答して、受信経路２０４ｂへの動作電力は解除される。結果として、エネルギ消費の節約が有利に達成され得る。
【００４２】
図４は、論理フローの実施形態を表す。特に、図４は、ここで記載される１又はそれ以上の実施形態によって実行される動作を代表しうる論理フロー４００を表す。図４は特定の手順を示すが、他の手順が用いられてよい。また、表されている動作は、様々な並行な及び／又は順次的な組み合わせにおいて実行されてよい。さらに、それらの動作は、図２の実施のようなＮＭＰ実施範囲内で実行されてよい。なお、実施形態は、この状況に限られない。
【００４３】
ブロック４０２で、出力コンテンツストリームは、ＮＭＰ（例えば、ＮＭＰ１０６）の特定の出力のために指定される。この指定は、例えば、ケーブルテレビ局、ＤＶＢテレビ局、トランスポートストリーム内（例えば、ＭＰＥＧトランスポートストリーム内）の特定のエレメンタリストリーム、又は他のコンテンツタイプであってよい。よって、実施形態は、それらの例に限られない。
【００４４】
実施形態において、この指定は、ユーザ選択に基づいてよい。例えば、図２に関連して、そのようなユーザ選択は、ユーザインターフェース２１２を通じてなされてよい。さらに、又は代替的に、そのような選択は、他の装置のユーザインターフェースを通じてなされてよい。また、図２に関連して、そのような選択は、特定の出力ポート２１５を指示してよい。
【００４５】
ブロック４０４で、対応するチャネルチューニングは、指定された出力ストリームに基づき特定される。図２を参照して、これは、制御モジュール２１０が受信経路のためのチューニングを決定することを伴ってよい。
【００４６】
これに続いて、特定されたチャネルチューニングが予め受信経路によって用いられているかどうかが（ブロック４０６で）決定される。特定されたチャネルチューニングが用いられていない場合は、ブロック４０８が実行され、利用可能な（例えば、現在使用されていない）受信経路が選択される。ブロック４１０で、動作電力が、選択された受信経路へ供給される（その受信経路が現在給電されていない場合）。これに続いて、受信経路は、ブロック４１２で、特定されたチャネルにチューニングされる。さらに、ブロック４１４で、この特定された受信経路によって生成される復号信号は、選択されたコンテンツを特定の出力ポートで生成することができるように、ＮＭＰ内で分配される。
【００４７】
しかし、特定されたチャネルチューニングが予め受信経路によって用いられている場合は、動作はブロック４０６からブロック４１６へ進む。このブロックでは、この受信経路が選択される。これに続いて、動作はブロック４１４へ進み、特定された受信経路によって生成される復号信号は、選択されたコンテンツを特定の出力ポートで生成することができるように、ＮＭＰ内で分配される。
【００４８】
さらに、ブロック４１８で、ＮＭＰによるコンテンツストリームの出力に寄与していない如何なる受信経路（未使用の受信経路とも称される。）も、電力供給を停止される。
【００４９】
図５は、受信経路（例えば、受信経路２１４ａ〜ｎの１又はそれ以上）に含まれてよい実施５００の図である。この実施は、チューナモジュール５０２、アナログ−デジタル変換器（ＡＤＣ）モジュール５０４、復調器モジュール５０６、及び前進型誤信号訂正（forward  error  correction）（ＦＥＣ）デコーダモジュール５０８を含む。これらの要素は、ハードウェア及びソフトウェアの何らかの組み合わせにおいて実施されてよい。
【００５０】
図５に示されるように、チューナモジュール５０２はアナログ信号５２０を受信する。アナログ信号５２０は、図１のブロードキャスト信号１２０のようなブロードキャスト信号に対応してよい。チューナモジュール５０２は、アナログ信号５２０の一部（例えば、連続する周波数チャネル又はバンド）を受信して、対応するアナログベースバンド信号５２２を生成するようチューニングされる。実施形態において、これは、フィルタリング及び／又はダウンコンバージョン動作を伴ってよい。上述されたように、チューナモジュール５０２の動作特性は、（例えば、図２の制御モジュール２１０からの指令に応答して）調整可能であってよい。
【００５１】
図５は、ＡＤＣモジュール５０４がアナログベースバンド信号５２２を受信することを示す。次いで、ＡＤＣモジュール５０４は、対応するデジタル信号５２４を生成する。デジタル信号５２４は、復調器モジュール５０６へ送信される。復調器モジュール５０６は、デジタル信号５２４を復調して、対応するシンボルストリーム５２６を生成する。ここで記載されるように、この復調は、ＯＦＤＭ、ＰＳＫ及び／又はＦＳＫのような様々な変調方式に従ってよい。
【００５２】
ＦＥＣデコーダモジュール５０８は、シンボルストリーム５２６を復号化して、対応する復号信号５２８を生成する。この復号は、ブロック符号化及び／又は畳み込み符号化の何らかの組み合わせのような、様々な技術に従ってよい。
【００５３】
ここで記載されるように、様々な実施形態は、ハードウェア要素、ソフトウェア要素、又はそれらの何らかの組み合わせを用いて実施されてよい。ハードウェア要素の例には、プロセッサ、マイクロプロセッサ、回路、回路素子（例えば、トランジスタ、抵抗、キャパシタ、インダクタ、等）、集積回路、特定用途向け集積回路（ＡＳＩＣ）、プログラマブル論理デバイス（ＰＬＤ）、デジタル信号プロセッサ（ＤＳＰ）、フィールドプログラマブルゲートアレイ（ＦＰＧＡ）、論理ゲート、レジスタ、半導体デバイス、チップ、マイクロチップ、チップセット、等がある。
【００５４】
ソフトウェアの例には、ソフトウェアコンポーネント、プログラム、アプリケーション、コンピュータプログラム、アプリケーションプログラム、システムプログラム、機械プログラム、オペレーティングシステムソフトウェア、ミドルウェア、ファームウェア、ソフトウェアモジュール、ルーチン、サブルーチン、機能、方法、プロシージャ、ソフトウェアインターフェース、アプリケーションプログラムインターフェース（ＡＰＩ）、命令セット、コンピューティングコード、コンピュータコード、コードセグメント、コンピュータコードセグメント、ワード、値、シンボル、又はそれらの何らかの組み合わせがある。
【００５５】
幾つかの実施形態は、例えば、機械によって実行される場合に機械に本発明に従う方法及び／又は動作を実行させる命令又は命令の組を記憶する機械読み出し可能な媒体又は物（article）を用いて、実施されてよい。そのような機械には、例えば、何らかの適切なプロセッシングモジュール、コンピューティングモジュール、コンピューティングデバイス、プロセッシングデバイス、コンピューティングシステム、プロセッシングシステム、コンピュータ、プロセッサ、等があり、ハードウェア及び／又はソフトウェアの何らかの適切な組み合わせを用いて実施されてよい。
【００５６】
機械読み出し可能な媒体又は物には、例えば、何らかの適切なタイプのメモリユニット、メモリデバイス、メモリアーティクル、メモリ媒体、記憶装置、記憶、記憶アーティクル、記憶媒体及び／又は記憶ユニット、例えば、メモリ、リムーバブル若しくは非リムーバブル媒体、消去可能又は消去不可能媒体、書込可能又は書換可能媒体、デジタル若しくはアナログ媒体、ハードディスク、フロッピー（登録商標）ディスク、コンパクトディスク読出専用メモリ（ＣＤ−ＲＯＭ）、コンパクトディスク・リコーダブル（ＣＤ−Ｒ）、コンパクトディスク・リライタブル（ＣＤ−ＲＷ）、光ディスク、磁気媒体、光磁気ディスク、リムーバブルメモリカード若しくはディスク、様々なタイプのデジタルバーサタイルディスク（ＤＶＤ）、テープ、カセット、等がある。命令には、何らかの適切なハイレベル、ローレベル、オブジェクト指向、ビジュアル、コンパイル済み及び／又はインタープリタ型のプログラミング言語を用いて実施される何らかの適切なタイプのコード、例えば、ソースコード、コンパイル済みコード、インタープリタ型コード、実行可能コード、スタティックコード、ダイナミックコード、暗号化コード、等がある。
【００５７】
本発明の様々な実施形態について記載してきたが、当然のことながら、それらは、限定としてではなく一例として提示されている。例えば、ここで論じられている技術は、ＤＶＢ−Ｔ及びＤＭＢ−Ｔ／Ｈ信号の受信及び処理に限られない。よって、実施形態は、それらの信号に限られない。また、実施形態は、ＯＦＤＭ信号以外の信号（例えば、単キャリア信号）を用いてよい。さらに、実施形態は、デジタルビデオ実施に限られない。
【００５８】
さらに、ここで記載される技術は、現在開発下にあるＤＶＢ−Ｔ２のような次世代のデジタルテレビジョン規格とともに用いられてよい。ＤＶＢ−Ｔ２は、機能（例えば、多入力多出力（ＭＩＭＯ）、多入力単出力（ＭＩＳＯ）、低密度パリティ検査符号（ＬＤＰＣ）、等）を提供する。ここで記載されるハードウェアモジュール間の実施機能及び割り当ては、そのような次世代のデジタルテレビジョン規格のために用いられてよい。
【００５９】
然るに、当業者には明らかなように、形態及び詳細における様々な変更が、本発明の主旨及び適用範囲から逸脱することなしに行われてよい。よって、本発明の技術的範囲は、上記の例となる実施形態によって制限されるべきではなく、特許請求の範囲及びその均等に従ってのみ定義されるべきである。
【図１】
2013511929.tif 000003
【図２】
2013511929.tif 000004
【図３】
2013511929.tif 000005
【図４】
2013511929.tif 000006
【図５】
2013511929.tif 000007
【国際調査報告】
2013511929.tif 000008
2013511929.tif 000009
2013511929.tif 000010